(57)【特許請求の範囲】
【請求項１】
湯水を供給するホースを挿通したホルダーと、前記ホースの先端に接続し、ホルダーに引出し自在に支持され、下部に形成した吐水口から湯水を吐水するシャワーヘッドとからなり、前記ホルダーとシャワーヘッドのいずれか一方は支持ガイドを有し、この支持ガイドの外周面に突起が形成され、他方は内周面に前記突起が係合する係合孔と、突起を係合孔に導くように突起及び係合孔より幅広とした案内溝とからなる係止部を形成し、シャワーヘッドをホルダーに支持すると、突起と係合孔の係合によりシャワーヘッドの吐水口を予め設定した方向を向くようにしたことを特徴とするシャワーヘッドの支持装置。
【発明の詳細な説明】
【０００１】
【発明の属する技術分野】
この発明は、洗面台や流し台等で使用されるシャワーヘッドをホースと共にホルダーに引出し自在に支持する、シャワーヘッドの支持装置に関するものである。
【０００２】
【従来の技術】
従来、洗面台や流し台等に固定したホルダーにホースを挿通させ、このホースの先端に接続したシャワーヘッドをホルダーへ引出し自在に支持するものに図５（ａ）（ｂ）のものがある。この図５（ａ）（ｂ）について簡単に説明すると、ホルダー３３はホース３６を挿通させることのできる略中空状で、洗面台や流し台の天板３１に固定され、シャワーヘッド３７を支持してホース３６を挿通する開口部３４を先端に開口し、この開口部３４は先端の内周面に雌セレーション３５を刻設し、ホース３６の先端に接続したシャワーヘッド３７は、先端下部に設けた吐水口３８から吐水される湯水の流路を直流と散水に切替操作する吐水ボタン３９を前面に備えており、ホルダー３３と向かい合う外周面に、雌セレーション３５に嵌合する雄セレーション４０が刻設されており、前記吐水口３８から天板３１に設けたボウル３２に向けて湯水を吐水するものである。
【０００３】
従って、シャワーヘッド３７をホルダー３３に引出し自在に支持する場合、ホルダー３３の雌セレーション３５に対しシャワーヘッド３７の雄セレーション４０を嵌合させ、シャワーヘッド３７を所定の方向に向けた状態で回動しないように保持し、湯水は吐水口３８からボウル３２に向けて吐水されるものである。
【０００４】
上記のものにあっては、シャワーヘッドは互いのセレーションの嵌合により回動しないようにホルダーに支持されるが、例えば手洗いや洗顔を行なうため、湯水を吐水口からボウルに向けて正確に真下方向に吐水できるように、シャワーヘッドをホルダーに位置を合わせて嵌合させるのは容易でなく、無造作に嵌合させると、（ｂ）に示すようにシャワーヘッドの吐水口はボウルに対し真下方向でなく斜め方向に向いてしまい、この状態で吐水口から湯水が吐水されると、ボウルからはみ出してしまう恐れがある。従って、吐水口がボウルに対し垂直方向に向くように何度も嵌合位置を調節する必要があり、使い勝手の悪いものであった。
【０００５】
【発明が解決しようとする課題】
本発明が解決しようとする課題は、シャワーヘッドをホルダーに支持するシャワーヘッドの支持構造において、シャワーヘッドをホルダーに支持する場合に、シャワーヘッドを無造作にホルダーに嵌合させても湯水を吐水する吐水口が予め設定した方向を向くようにして、使い勝手を向上させるものである。
【０００６】
【課題を解決するための手段】
本発明は請求項１では、湯水を供給するホースを挿通したホルダーと、前記ホースの先端に接続し、ホルダーに引出し自在に支持され、下部に形成した吐水口から湯水を吐水するシャワーヘッドとからなり、前記ホルダーとシャワーヘッドのいずれか一方は支持ガイドを有し、この支持ガイドの外周面に突起が形成され、他方は内周面に前記突起が係合する係合孔と、突起を係合孔に導くように突起及び係合孔より幅広とした案内溝とからなる係止部を形成し、シャワーヘッドをホルダーに支持すると、突起と係合孔の係合によりシャワーヘッドの吐水口を予め設定した方向を向くようにしたものである。
【０００７】
【発明の実施の形態】
以下、本発明の実施の形態を図に基づいて詳細に説明する。
この発明の第１の実施形態は図１及び図２に示すように、シャワーヘッド１３を着脱自在に支持するためのホルダー４は、流し台や洗面台の天板１から垂直方向に立ち上がり上部を湾曲した筒状で、内部には基端側で湯水を供給する水栓（図示省略）と接続し、先端側でシャワーヘッド１３を接続するホース１２を引出し自在に挿通しており、シャワーヘッド１３をホース１２と共にホルダー４から引出して使用するものである。前記ホルダー４は下部に形成した筒体部５を前記天板１に穿設した取付孔２に挿通して、天板１の下側からナット６を筒体部５の外周に螺着することで固定されている。
【０００８】
前記ホルダー４は、ホース１２の先端に接続したシャワーヘッド１３が着脱自在に支持されるように開口した開口部７を斜め上方に傾斜させ、この開口部７に支持ガイド８を有している。この支持ガイド８はホルダー４の一部を成す略円筒状で、前後に貫通した通し孔９に前記ホース１２が挿通し、開口部７から軸方向に突出した嵌合部１０の外周面には、通し孔９に沿ってシャワーヘッド１３の位置決め用の突起１１が径方向の１箇所に突出して形成されている。なお、支持ガイドはホルダーと一体でも別体でもよく、別体とした場合のホルダーへの装着方法は、支持ガイドをホルダーへ螺着したり、接着剤で接着したり、ビス止めしてもよい。
【０００９】
前記シャワーヘッド１３は先端下部に吐水口１４を設け、この吐水口１４から天板１に設けたボウル３に向けて吐水される湯水の流路を直流と散水流とに切替操作する吐水ボタン１５を前面に備えている。また、手で握るため筒状に形成された把手部１６の外形形状が、前記ホルダー４の開口部７の外形形状と略同一であり、シャワーヘッド１３をホルダー４に支持すると、シャワーヘッド１３とホルダー４は外形線が同一となり、外観上の統一感が得られるものである。
【００１０】
シャワーヘッド１３はホース１２が挿通するように開口した挿孔１７の内周面に、前記ホルダー４に有した支持ガイド８の突起１１を特定の位置に導くために凹設した係止部１８が形成されている。この係止部１８はホルダー４と向かい合う入口部分は突起１１よりも幅寸法がかなり広く、挿孔１７の奥に向かうほど幅寸法が除々に狭くなるように一対の傾斜面１８ｂが形成された案内溝１８ａと、この案内溝１８ａの最奥部で突起１１を隙間なく係合する幅寸法とした位置決め用の係合孔１８ｃとを備えている。また、この係止部１８は突起１１が係合孔１８ｃに係合した場合に、吐水口１４がボウル３に対して正確に真下を向くように位置を合わせて形成される。
【００１１】
なお、支持ガイド又は係止部の位置を変更することで、吐水口の向きはボウルに対して真下だけでなく、斜め方向又は真上方向に設定することも可能である。また、本実施形態では突起と係止部をそれぞれ１箇所設けているが、２箇所以上の複数個設けるようにすることで、１箇所のものよりもシャワーヘッドを安定した状態でホルダーに支持できるようにしてもよい。
【００１２】
したがって、シャワーヘッド１３で洗髪等を行なう場合は、使用者はシャワーヘッド１３を手に持って、ホース１２と共にホルダー４から適当な長さだけ引出して使用する。
【００１３】
次に手洗いや洗顔を行なう際にシャワーヘッド１３をホルダー４に支持する場合、シャワーヘッド１３の吐水口１４を下に向け、シャワーヘッド１３の挿孔１７を無造作にホルダー４の支持ガイド８に向かい合わせて軽く嵌合させても、支持ガイド８の突起１１がシャワーヘッド１３の係止部１８の入口部分で、突起１１より幅寸法の広い案内溝１８ａの範囲内に位置していれば、シャワーヘッド１３をホルダー４に接近させていくにつれて、シャワーヘッド１３は僅かに回転しながら、係合孔１８ｃと支持ガイド８の突起１１が傾斜面１８ｂに沿って係合するように導かれ、シャワーヘッド１３をホルダー４に回転することがないように位置決めされ、図３に示すように吐水口１４が正確に真下を向いた位置で支持することが出来る。
【００１４】
図４は第２の実施形態である。本実施形態ではシャワーヘッド１３ａの挿孔１７ａに支持ガイド８ａを有し、この支持ガイド８ａは嵌合部１０ａの外周面に突起１１ａが形成されている．また、ホルダー４ａは開口部７ａに係止部１８を形成している。このように前記第１の実施形態とは逆に、支持ガイド８ａをシャワーヘッド１３ａに有し、ホルダー４ａに、案内溝１８ａと傾斜面１８ｂと係合孔１８ｃとを備えた係止部１８を形成してもよい。なお、その他の構成は前記第１の実施形態と同一であるので、同一の部材については共通の符号を付し、その詳細な説明を省略する。
【００１５】
【発明の効果】
本発明では、湯水を供給するホースを挿通したホルダーと、前記ホースの先端に接続し、ホルダーに引出し自在に支持され、下部に形成した吐水口から湯水を吐水するシャワーヘッドとからなり、前記ホルダーとシャワーヘッドのいずれか一方は支持ガイドを有し、この支持ガイドの外周面に突起が形成され、他方は内周面に前記突起が係合する係合孔と、突起を係合孔に導くように突起及び係合孔より幅広とした案内溝とからなる係止部を形成し、シャワーヘッドをホルダーに支持すると、突起と係合孔の係合によりシャワーヘッドの吐水口を予め設定した方向を向くようにした。したがって、シャワーヘッドをホルダーに支持する際に、シャワーヘッドを無造作にホルダーに嵌合させても、シャワーヘッドをホルダーに接近させていくと、吐水口を予め設定した方向を向くようにシャワーヘッドを支持することができ、使い勝手を大幅に向上させることができる。
【図面の簡単な説明】
【図１】  本発明の第１の実施形態で、シャワーヘッドとホルダーの嵌合部の説明図である。
【図２】  図１のシャワーヘッドをホルダーに支持した状態の説明図である。
【図３】  図１のシャワーヘッドがホルダーに支持された状態の正面図である。
【図４】  本発明の第２の実施形態による、シャワーヘッドとホルダーの嵌合部の説明図である。
【図５】  従来技術の説明図で、（ａ）はシャワーヘッドとホルダーの嵌合部の説明図、（ｂ）はシャワーヘッドがホルダーに支持された状態の正面図である。
【符号の説明】
４，４ａ                    ホルダー
１１，１１ａ                開口部
１２                        ホース
１３，１３ａ                シャワーヘッド
１４                        吐水口
１８                        係止部
１８ａ                      案内溝
１８ｂ                      傾斜面
１８ｃ                      係合孔
【図１】
0003788937.tif 000002
【図２】
0003788937.tif 000003
【図３】
0003788937.tif 000004
【図４】
0003788937.tif 000005
【図５】
0003788937.tif 000006